(57)【要約】      （修正有）【課題】自分の歩数計の確認が容易であり、携行においてはひと目で歩数計と分らず、パソコンで歩行データ管理も簡単に行うことができ、さらに毎日歩行運動を行いたいと思わせる、楽しい歩数計を提供する。【解決手段】ぬいぐるみ部とぬいぐるみ部２０に収納する歩数計部とで歩数計１を構成する。また、歩数計をぬいぐるみ部と、当該ぬいぐるみ部に収納する歩数計モジュール１５によって構成し、歩数計モジュールは歩行データ算出手段と歩行データ送出手段のみを有する構成とした。【選択図】図６
0003160663.tif 000002
【実用新案登録請求の範囲】
【請求項１】
ぬいぐるみ部と前記ぬいぐるみ部に収納する歩数計部とで構成されることを特徴とする歩数計。
【請求項２】
ぬいぐるみ部と前記ぬいぐるみ部に収納する歩数計モジュールとからなり、前記歩数計モジュールは、歩行データ算出手段と歩行データ送出手段のみを有することを特徴とする歩数計。
【考案の詳細な説明】
【技術分野】
【０００１】
本考案は歩数を計測する歩数計に係り、特に歩行データの管理が容易で、且つ歩行へのモチベーションを高めることができる歩数計に関する。
【背景技術】
【０００２】
歩行は健康増進と疾病回復に効果があるので、多くの人が日常生活の中に取り入れている。しかし歩行の効果を上げるためには、毎日継続しなくてはならない。
このため歩行を毎日継続させるための工夫を施した歩数計がいくつか開示されている。
【０００３】
一例を挙げると、歩数計で測定された歩数から歩行距離を算出し、これを累積して延べの歩いた距離を表示する技術が開示されている。（例えば、特許文献１参照）
【０００４】
特許文献１に示した従来技術は、日々の歩数から歩行距離を算出して、歩数計に例えば東海道の地図情報を記憶しておき、歩行によって現在どの地点に至ったかを表示してモチベーションを高め、歩行への励みとするものである。
【０００５】
図７を使用して特許文献１に示した従来技術の概略を説明する。
図７は特許文献１に開示された歩数計の表示例を示す。歩数計のディスプレイ６０には、歩数計に記憶した地図情報と、出発地点と終了地点が表示され、歩数と歩幅から算出した歩行距離から、現在地図上のどの地点にいるかを光る点で表示するようにしたものである。
【先行技術文献】
【特許文献】
【０００６】
【特許文献１】特開２００１−２９６１３９号公報（特許請求の範囲、第２図）
【考案の概要】
【考案が解決しようとする課題】
【０００７】
特許文献１の開示技術においては、毎日の歩行の結果は実際の地名を使って表示され使用者の興味をそそるので、歩いた結果をより面白く把握したいという願望に応えているが使用者が毎日歩行を続けられない大きな原因である動機付け、すなわち、歩行運動を開始しようという気分にさせる仕組みが欠如しており、また構成も複雑なので高価である。
【０００８】
また特許文献１の開示技術においては、歩数計を腰に付けるかポケットに入れるかして歩行しなくてはならないが、特に若い女性等は、腰に一目で歩数計と分る器具を付けたり、ポケットに入れてポケットを膨らませたりすることは好まない。
すなわち、歩行運動を始めようとするとき、まず歩数計を携行すること自体に抵抗があり、進んで携えようとさせる気分を消滅させてしまう。すなわち、歩行運動を楽しみとさせる仕組みが欠如している。
【０００９】
また特許文献１の開示技術においては、例えば家族で同型の歩数計を使っている場合などでは、歩数計の外観が同じなので、取り違えによって歩行記録が誤ってしまうなどの問題も発生する。
【００１０】
また特許文献１の開示技術においては、パソコンで歩行データ管理をしようとすると、毎日の歩行データを手入力しなくてはならず煩雑である、などの問題も発生する。
【００１１】
本考案の目的は上記課題を解決し、自分の歩数計の確認が容易であり、携行においてはひと目で歩数計と分らず、パソコンで歩行データ管理も簡単に行うことができ、さらに毎日歩行運動を行いたいと思わせる、楽しい歩数計を提供することである。
【課題を解決するための手段】
【００１２】
上記課題を解決するための本考案の構成を詳述すれば、請求項１に係る考案は、ぬいぐるみ部と前記ぬいぐるみ部に収納する歩数計部とで構成されることを特徴とする歩数計である。
【００１３】
また、請求項２に係る考案は、ぬいぐるみ部と前記ぬいぐるみ部に収納する歩数計モジュールとからなり、前記歩数計モジュールは、歩行データ算出手段と歩行データ送出手段のみを有することを特徴とする歩数計である。
【考案の効果】
【００１４】
上述の様に、本考案の歩数計によれば、自分の固有のぬいぐるみの形から、自分の歩数計を容易に確認が出来るし、またぬいぐるみはバッグ等の身の周り品にごく自然に付けられるので携行において目立たず、またパソコンでの歩行データの入力が簡単で、さらに毎日歩行運動を行いたいと思わせる楽しい歩数計を廉価で提供することができる。
【図面の簡単な説明】
【００１５】
【図１】本考案による歩数計の、第１の実施形態を示す外観図である。
【図２】本考案による歩数計の、第２の実施形態を示す外観図である。
【図３】本考案による歩数計の、第３の実施形態の構成を示す外観図である。
【図４】本考案による歩数計の、第３の実施形態を示すブロック図ある。
【図５】本考案による歩数計の、第３の実施形態の使用状態例を示す外観図である。
【図６】本考案による歩数計の、第３の実施形態と、パソコンとのシステム構成を示す外観図である。
【図７】従来の歩数計の表示例を示す外観図である。
【考案を実施するための形態】
【００１６】
本考案の歩数計は、歩数計部をぬいぐるみの中、あるいはぬいぐるみのポケットに収納し、一見して歩数計と分らない様にして楽しく携行するものである。
ぬいぐるみの中あるいはぬいぐるみのポケットには、目的に応じて歩数計部または歩数計モジュールを収納する。歩数計部は表示器を備えており、単独で歩数データ管理ができる。また歩数計モジュールは表示器を備えていないが通信手段を有しているので、パソコンへの歩行データの送出が簡単に行える。
【実施例】
【００１７】
以下、図１から図６を用いて本考案の歩数計の実施形態を詳述する。
【００１８】
図１は、本考案による歩数計の第１の実施形態を示す外観図である。
図１において、表示器１１を備えた歩数計部１０を、ぬいぐるみ２０のポケット２２に
収納する。
ポケット２２は透明の材質で出来ているので、歩数計部１０をぬいぐるみ２０のポケッ
ト２２に収納した状態で、表示器１１の表示内容を確認できる。
【００１９】
また図２は、本考案による歩数計の第２の実施形態を示す外観図である。
図２において、歩数計部１０はぬいぐるみ部２０のぬいぐるみ入口２１からぬいぐるみ部２０の内部に収納される。
図２に示す様に、ぬいぐるみ２０の外観からは歩数計部１０は確認できないので、歩数計を携行していることを人に知られることはない。
【００２０】
また図３は、本考案による歩数計の第３の実施形態を示す外観図である。
図３において、歩数計モジュール１５はぬいぐるみ部２０のぬいぐるみ入口２１からぬいぐるみ部２０の内部に収納される。
図３に示す様に、ぬいぐるみ２０の外観からは歩数計モジュール１５は確認できないので、歩数計を携行していることを人に知られることはなく、さらに後述する様にパソコン３０で歩行データの入力を行うことができる。
【００２１】
また図４は、本考案による歩数計の第３の実施形態における歩数計モジュール１５の構成を示すブロック図である。
図４において、歩数計モジュール１５は歩行データ算出手段１５１と歩行データ送出手段１５２のみで構成されている。
【００２２】
歩行データ算出手段１５１は、図示していないが加速度センサとマイコンとメモリと電池とで構成され、加速度センサの出力と後述するパソコン３０からリーダライタ３１を通じて送られる個人情報とから、歩数や歩行距離、消費カロリなどの歩行データＨｄを算出し記憶する。    
【００２３】
歩行データ送出手段１５２は、図示していないがアンテナコイルと通信チップとからなる電磁結合手段を有し、歩行データ算出手段１５１で算出された歩行データＨｄを、中短波電磁波を媒体とした非接触カード通信手法によって、パソコン３０のリーダライタ３１に送出する。
【００２４】
また図５は、本考案による歩数計の第３の実施形態の使用状態例を示す外観図である。
図５において、ぬいぐるみ部２０の中に歩数計モジュール１５（図示せず）を収納した歩数計１は、適宜ストラップ等を介してカバン４０に取り付けられている。
図５に示す様に、ぬいぐるみ部２０の外観からは歩数計モジュール１５は確認できないので、歩数計を携行していることを人に知られることはない。
【００２５】
また図６は、本考案による歩数計の第３の実施形態とパソコンとのシステム構成を示す外観図である。
図６において、ぬいぐるみ部２０の中に歩数計モジュール１５を収納した歩数計１がパソコン３０のリーダライタ３１の上に置かれると、リーダライタ３１が歩数計モジュール１５を自動的に認識し、歩数計モジュール１５からリーダライタ３１を通じてパソコン３０に歩行データが自動的に送出される。
【００２６】
以上述べた様に、本考案による歩数計によれば、好みに応じて固有の形のぬいぐるみ部を選択できるので、他人のものと取り違えることもなく、歩行が楽しくなる歩数計を提供することができる。
また、自分の好みの愛らしいぬいぐるみと一緒なので、歩行へのモチベーションも高まる。
また、本考案の歩数計モジュール１５は表示器がないので、廉価でかつ消費電力が低く電池寿命が長いエコ商品である。
また、パソコンへの歩行データの入力が簡単なので歩行習慣が途中で挫折することもなく、毎日の歩数や運動量をグラフで管理することも容易にできる。
【００２７】
なお、本考案の歩数計１のぬいぐるみ部２０は、動物に限るものではなく、例えば乗り物や建造物や植物などを模したものも一実施形態であることは言うまでもない。
【符号の説明】
【００２８】
１  歩数計
１０  歩数計部
１１  表示器
１５  歩数計モジュール
１５１  歩行データ算出手段
１５２  歩行データ送出手段
２０  ぬいぐるみ部
２１  ぬいぐるみ入口
２２  ポケット
３０  パソコン
３１  リーダライタ
４０  カバン
５０  手
６０  ディスプレイ
Ｈｄ  歩行データ
【図１】
0003160663.tif 000003
【図２】
0003160663.tif 000004
【図３】
0003160663.tif 000005
【図４】
0003160663.tif 000006
【図５】
0003160663.tif 000007
【図６】
0003160663.tif 000008
【図７】
0003160663.tif 000009